(57)【要約】【課題】重要な映像を鮮明に記憶装置に記憶させ、重要でない映像を低ビットレートで記憶装置に記憶させ、データ量を減らすこと。【解決手段】雨量が基準値を超えたことを示すアラームデータを受信し、プリセット情報記憶部１２に記憶されたカメラの設定情報をカメラ制御情報送信部１３が、該当するカメラに送信する。また、レート判定処理部１７は、降雨情報記憶部１４に記憶された降雨開始時刻情報と、予測降雨情報記憶部１５に記憶された降雨予測情報と、ライブラリ空き容量情報記憶部１６に記憶された残りのライブラリ記憶容量に係る情報に基づいて、データ量が多く高画質の高レートＭＰＥＧデータをライブラリ２５に記憶させるか、データ量が少なく低画質の低レートＭＰＥＧデータをライブラリ２５に記憶させるかを判定する。【選択図】        図２
2005191870.tif 000002
【特許請求の範囲】
【請求項１】
映像を圧縮するエンコーダから送信される映像データを蓄積する映像蓄積装置を管理する映像管理装置であって、
降雨に係る情報を示す降雨情報を取得する降雨情報取得手段と、
雨量が基準値を超えたことを示すアラーム信号を受信した際に、前記降雨情報取得手段が取得した前記降雨情報に基づいて、前記エンコーダから前記映像蓄積装置に送信される映像データに含まれる高ビットレートで映像を圧縮された第一の映像データと低ビットレートで映像を圧縮された第二の映像データとのどちらを前記映像蓄積装置に蓄積させるかを判定する判定手段と、
前記判定手段が判定した判定結果をもとに前記第一の映像データまたは前記第二の映像データのいずれか一方の映像データの蓄積を開始するように前記映像蓄積装置に指示する蓄積指示手段と
を備えたことを特徴とする映像管理装置。
【請求項２】
前記映像蓄積装置が蓄積可能な残りの容量に係る情報を示す蓄積容量情報を取得する蓄積容量情報取得手段をさらに備え、前記判定手段は、前記降雨情報と前記蓄積容量情報とに基づいて、前記第一の映像データと前記第二の映像データとのどちらを前記映像蓄積装置に蓄積させるかを判定することを特徴とする請求項１に記載の映像管理装置。
【請求項３】
前記降雨情報は、降雨が開始した時刻を示す降雨開始時刻情報と、降雨が止む時刻を予想した降雨終了時刻情報と、所定時間後までに予測される降雨量に係る予測降雨量情報とを含み、前記判定手段は、前記降雨開始時刻情報と、前記降雨終了時刻情報と、前記予測降雨量情報と、前記蓄積容量情報とに基づいて前記第一の映像データまたは前記第二の映像データとのどちらを前記映像蓄積装置に蓄積させるかを判定することを特徴とする請求項２に記載の映像管理装置。
【発明の詳細な説明】
【技術分野】
【０００１】
この発明は、映像を圧縮するエンコーダから送信される映像データを蓄積する映像蓄積装置を管理する映像管理装置に関し、特に、ビットレートの異なる複数の映像データから最適な映像データを臨機応変に選択し、映像蓄積装置に蓄積させることができる映像管理装置に関する。
【背景技術】
【０００２】
従来から、洪水や火災などの災害を監視すべく、映像管理システムが考案されてきた。この映像管理システムは、カメラが撮影した災害映像を端末装置に対してリアルタイムに配信すると共に、記憶装置に記憶させている。
【０００３】
また、従来の映像管理システムでは、災害映像を端末装置に配信する場合や、記憶装置に記憶させる際に、災害映像をＭＰＥＧ（Moving Picture Experts Group）方式で圧縮したＭＰＥＧデータに変換する。
【０００４】
また、従来の映像管理システムでは、予めユーザが取り決めたビットレートで災害映像などをＭＰＥＧデータに圧縮し、圧縮したＭＰＥＧデータをユーザが利用する端末装置に送信すると共に、所定の記憶装置に圧縮したＭＰＥＧデータを記憶させていた（例えば、非特許文献１参照）。
【０００５】
なお、ビットレートを取り決めるユーザは、鮮明に災害映像を記憶装置に記憶させる場合には、ビットレートを高く設定し、記憶装置は、災害映像を高ビットレートで圧縮されたＭＰＥＧデータ（以下、高レートＭＰＥＧデータと記載する）を順次記憶する。
【０００６】
また、ビットレートを取り決めるユーザは、できる限り記憶装置のデータ量を減らしたい場合には、ビットレートを低く設定し、記憶装置は、災害映像を低ビットレートで圧縮されたＭＰＥＧデータ（以下、低レートＭＰＥＧデータと記載する）を順次記憶していた。
【０００７】
【非特許文献１】松下電器、“広告・情報配信システム”、[online]、[平成１５年１２月４日検索]、インターネット、＜ＵＲＬ：http://panasonic.co.jp/pss/news/article/2002_10_23.htm＞
【発明の開示】
【発明が解決しようとする課題】
【０００８】
しかしながら、従来の映像管理システムでは、ＭＰＥＧデータに変換された映像を記憶装置に記憶させる際、記憶させるＭＰＥＧデータのビットレートが常にユーザが設定したレートに固定されているため、重要な映像を鮮明に記憶装置に記憶させ、かつ記憶装置に記憶させるデータ量を減らすことができないという問題があった。
【０００９】
例えば、高レートＭＰＥＧデータを記憶装置に記憶させるようにユーザが設定すると、たとえ、記憶装置の残りの記憶容量が少ない場合であっても、データ量の多い高レートＭＰＥＧデータを記憶装置に記憶させ続けるため、記憶装置の記憶可能な容量の限界を超えてしまう。
【００１０】
また、データ量の少ない低レートＭＰＥＧデータを記憶装置に記憶するように設定することで、記憶装置の記憶可能な容量の限界を超えてしまうという問題は解消されるが、低レートＭＰＥＧデータを常に記憶しつづけることになる。従って、高画質で保存することが求められている重要な災害映像を映像品質の悪い低レートＭＰＥＧデータによって記憶装置に記憶させ続けてしまうことになる。
【００１１】
すなわち、記憶装置の記憶可能な残りの容量と、災害状況に基づいて臨機応変に、記憶装置に記憶させるＭＰＥＧデータを高レートＭＰＥＧデータまたは低レートＭＰＥＧデータに変更することが極めて重要な課題となっていた。
【００１２】
この発明は、上述した従来技術による問題点を解消するためになされたものであり、記憶装置の記憶可能な残りの容量と、災害の状況に基づいて臨機応変に、記憶装置に記憶させるＭＰＥＧデータを高レートＭＰＥＧデータまたは低レートＭＰＥＧデータに変更させることで重要な映像を鮮明に記憶装置に記憶させ、かつ記憶装置に記憶させるデータ量を減らすことができる映像管理装置を提供することを目的とする。
【課題を解決するための手段】
【００１３】
上述した課題を解決し、目的を達成するため、本発明は、映像を圧縮するエンコーダから送信される映像データを蓄積する映像蓄積装置を管理する映像管理装置であって、降雨に係る情報を示す降雨情報を取得する降雨情報取得手段と、雨量が基準値を超えたことを示すアラーム信号を受信した際に、前記降雨情報取得手段が取得した前記降雨情報に基づいて、前記エンコーダから前記映像蓄積装置に送信される映像データに含まれる高ビットレートで映像を圧縮された第一の映像データと低ビットレートで映像を圧縮された第二の映像データとのどちらを前記映像蓄積装置に蓄積させるかを判定する判定手段と、前記判定手段が判定した判定結果をもとに前記第一の映像データまたは前記第二の映像データのいずれか一方の映像データの蓄積を開始するように前記映像蓄積装置に指示する蓄積指示手段とを備えたことを特徴とする。
【００１４】
また、本発明は、上記発明において、前記映像蓄積装置が蓄積可能な残りの容量に係る情報を示す蓄積容量情報を取得する蓄積容量情報取得手段をさらに備え、前記判定手段は、前記降雨情報と前記蓄積容量情報とに基づいて、前記第一の映像データと前記第二の映像データとのどちらを前記映像蓄積装置に蓄積させるかを判定することを特徴とする。
【００１５】
また、本発明は、上記発明において、前記降雨情報は、降雨が開始した時刻を示す降雨開始時刻情報と、降雨が止む時刻を予想した降雨終了時刻情報と、所定時間後までに予測される降雨量に係る予測降雨量情報とを含み、前記判定手段は、前記降雨開始時刻情報と、前記降雨終了時刻情報と、前記予測降雨量情報と、前記蓄積容量情報とに基づいて前記第一の映像データまたは前記第二の映像データとのどちらを前記映像蓄積装置に蓄積させるかを判定することを特徴とする。
【発明の効果】
【００１６】
本発明によれば、映像管理装置は、降雨情報に係る情報を示す降雨情報を取得し、雨量が基準値を超えたことを示すアラーム信号を受信した際に、取得した降雨情報に基づいて、エンコーダから映像蓄積装置に送信される高ビットレートで映像を圧縮された第一の映像データと低ビットレートで映像を圧縮された第二の映像データとのどちらを映像蓄積装置に蓄積させるかを判定し、判定した結果をもとに映像蓄積装置に第一の映像データまたは第二の映像データのいずれか一方の映像データの蓄積を開始するように指示するので、重要な映像は鮮明に映像蓄積装置に蓄積させることができ、重要でない映像は低ビットレートで映像蓄積装置に蓄積させることで蓄積データ量を減らすことができる。
【発明を実施するための最良の形態】
【００１７】
以下に添付図面を参照して、この発明に係る映像管理装置の好適な実施の形態を詳細に説明する。
【実施例】
【００１８】
まず、本実施例に係る映像管理システムのシステム構成について説明する。図１は、本実施例に係る映像管理システムのシステム構成を示すブロック図である。同図に示すように、この映像管理システムは、映像ＩＰ化装置１、２と、クライアント端末５と、河川情報管理システム６と、雨量情報管理システム７と、映像蓄積サーバ８と、映像管理サーバ９とがネットワーク５０を介して相互に接続されている。
【００１９】
映像ＩＰ化装置１は、カメラ３から送信される映像を高ビットレートでＭＰＥＧデータに圧縮した高レートＭＰＥＧデータと、低ビットレートでＭＰＥＧデータに圧縮した低レートＭＰＥＧデータとを映像蓄積サーバ８に送信する。
【００２０】
また、映像ＩＰ化装置２も映像ＩＰ化装置１と同様に、カメラ４から送信される映像を高レートＭＰＥＧデータと低レートＭＰＥＧデータとに圧縮し、映像蓄積サーバ８に送信する。なお、ここでは説明の便宜上２台の映像ＩＰ化装置１、２を示したが、この映像管理システムは、ネットワーク５０を介して任意の台数の映像ＩＰ化装置に接続される。
【００２１】
クライアント端末５は、映像ＩＰ化装置１および２から送信される高レートＭＰＥＧデータを受信し、受信した高レートＭＰＥＧデータを復号化してカメラ３および４が撮影した映像をリアルタイムに表示する端末装置である。
【００２２】
河川情報管理システム６は、雨量が基準値を超えた場合に、雨量が基準値を超えたことを示すアラームデータを映像管理サーバ９に送信する。また、河川情報管理システム６は、アラームデータを送信した後、雨量が基準値を引き続き越えているか否かの基準値情報を定期的に映像管理サーバ９に送信する。
【００２３】
雨量情報管理システム７は、雨が降り始めた場合に、雨が降り始めた時刻を降雨開始時刻情報として映像管理サーバ９に送信する。そして、雨が止んだ場合には、雨が止んだ時刻および雨の降り始めから止むまでの降水量の情報を降雨終了情報として映像管理サーバ９に送信する。
【００２４】
また、雨量情報管理システム７は、雨が降り始めた場合に、降雨が終了する時刻と３時間後までの降雨量とを雨が降り始めてから定期的に予測し、予測した降雨終了時刻と降雨量とを降雨予測情報として映像管理サーバ９に定期的に送信する。
【００２５】
映像蓄積サーバ８は、映像ＩＰ化装置１および２から送信される高レートＭＰＥＧデータと、低レートＭＰＥＧデータとをそれぞれ別々に一時記憶する。また、映像蓄積サーバ８は、映像管理サーバ９からの指示にしたがって、高レートＭＰＥＧデータまたは低レートＭＰＥＧデータのどちらか一方を選択し、選択したＭＰＥＧデータを順次記憶部であるライブラリに記憶する。
【００２６】
さらに、映像蓄積サーバ８は、ライブラリの残り記憶容量を定期的に調べ、ライブラリの残り記憶容量をライブラリ空き容量情報として映像管理サーバ９に通知する。
【００２７】
映像管理サーバ９は、河川情報管理システム６からアラームデータを受信し、予め雨量情報管理システム７から受信した降雨開始時刻情報と、降雨予測情報と、映像蓄積サーバ８から受信したライブラリ空き容量情報とに基づいて、映像蓄積サーバ８に高レートＭＰＥＧデータを蓄積させるか低レートＭＰＥＧデータを蓄積させるのか判断する。
【００２８】
具体的には、ライブラリの記憶容量が残り少ない場合や、降雨終了まである程度時間がかかると予測されるなどの場合には、データ量が多い高レートＭＰＥＧデータでは、ライブラリの容量が足りなくなる恐れがある。このような場合には、映像管理サーバ９は、映像蓄積サーバ８に対してデータ量の少ない低レートＭＰＥＧデータを記憶するように指示する。
【００２９】
一方、ライブラリの残りの記憶容量が十分確保されている場合や、降雨がすぐに終了すると予測される場合には、ライブラリの容量が足りなくなる恐れが少ない。従って、映像管理サーバ９は、データ量の多い高レートＭＰＥＧデータを記憶するように映像蓄積サーバ８に指示する。
【００３０】
このように、映像管理サーバ９は、映像蓄積サーバ８のライブラリの状態や降雨に係る情報に基づいて高レートＭＰＥＧデータまたは低レートＭＰＥＧデータを臨機応変に選択し、映像蓄積サーバ８のライブラリに記憶させるので、重要な映像を高画質でライブラリに保存でき、ライブラリのデータ量を減らすことができる。
【００３１】
次に、図１に示した映像管理サーバ９の構成について説明する。図２は、図１に示した映像管理サーバ９の構成を示す機能ブロック図である。同図に示すように、映像管理サーバ９は、制御部１０と、ネットワークインターフェース部１１と、プリセット情報記憶部１２と、カメラ制御情報送信部１３と、降雨情報記憶部１４と、予測降雨情報記憶部１５と、ライブラリ空き容量情報記憶部１６と、レート判定処理部１７と、切出し処理停止要求部１８とを有する。
【００３２】
制御部１０は、映像管理サーバ９全体を制御する処理部であり、ネットワークインターフェース部１１は、所定の通信プロトコルを用いて河川情報管理システム６、雨量情報管理システム７、および情報蓄積サーバ８と通信を行う処理部である。
【００３３】
プリセット情報記憶部１２は、カメラ３、４に対して設定する設定情報を記憶している。この設定情報は、カメラ３、４に対するカメラ方向に係る情報、カメラのズームに係る情報およびライトのオン／オフに係る情報を含んでいる。
【００３４】
カメラ制御情報送信部１３は、河川情報管理システム７からアラームデータが送信された場合に、プリセット情報記憶部１２に記憶されたカメラ３、４に対する設定情報を検索し、検索した設定情報をカメラ３、４に送信する。そして、カメラ３、４は、受信した設定情報を基にしてカメラ方向、カメラのズームおよびライトを制御する。
【００３５】
降雨情報記憶部１４は、雨量情報管理システム７から送信される降雨開始時刻情報と降雨終了情報とを記憶する。図３に降雨情報記憶部１４のデータ構造を示す。同図に示すように降雨情報記憶部１４は雨が降り始めた時刻を示す「降雨開始時刻」と、雨が止んだ時刻を示す「降雨終了時刻」と、雨が降り始めてから止むまでの合計降雨量を示す「降雨量」とからなる。
【００３６】
また、図３より、「西暦２００３年１２月３日１１時４５分」に降り始めた雨は、「西暦２００３年１２月３日１２時１５分」に止み、降雨量が「３０ｍｍ」であったことを示し、「西暦２００３年１２月４日２時３０分」に降り始めた雨は、「西暦２００３年１２月４日４時００分」に止み、降雨量が「５０ｍｍ」であったことを示し、「西暦２００３年１２月６日３時５０分」に降り始めた雨は、現在も降り続いていること示す。
【００３７】
予測降雨情報記憶部１５は、雨量情報管理システム７から送信される降雨予測情報を記憶する。図４に予測降雨情報記憶部１５のデータ構造を示す。同図に示すように、予測降雨情報記憶部１５は、現在降っている雨が止むと予測される時刻を示す「予測降雨終了時刻」と、３時間後までに予測される降雨量を示す「３時間後の予測降雨量」とからなる。
【００３８】
図４より、現在降っている雨は、「西暦２００３年１２月６日１２時３０分」に止むと予測され、３時間後の予測降雨量は「１００ｍｍ」であることを示す。
【００３９】
ライブラリ空き容量情報記憶部１６は、映像蓄積サーバ８から送信されるライブラリの残り記憶容量を示すライブラリ空き容量情報を記憶する。従って、ライブラリ空き容量情報記憶部１６を利用することでライブラリに対する残りの記憶容量を把握することができる。
【００４０】
レート判定処理部１７は、河川情報管理システム６からアラームデータを受信した場合に、降雨情報記憶部１４と、予測降雨情報記憶部１５と、ライブラリ空き容量情報記憶部１６とに記憶された情報に基づいて、映像蓄積サーバ８に記憶させるＭＰＥＧデータを高レートＭＰＥＧデータまたは低レートＭＰＥＧデータのどちらにするかを判定する。
【００４１】
具体的に、レート判定処理部１７は、降雨開始から１２時間以上経過した場合、降雨開始から６時間以上が経過しかつ６時間後まで降雨が予想される場合、ライブラリの空き容量が３０％を下回りかつ３時間後の予想される降雨量が基準値を超過している場合またはライブラリの空き容量が３０％を下回りかつ６時間後まで降雨が予想される場合には、低レートＭＰＥＧデータを映像蓄積サーバ８に記憶させると判定し、それ以外の場合には、高レートＭＰＥＧデータを映像蓄積サーバ８に記憶させると判定する。
【００４２】
そして、レート判定処理部１７は、映像蓄積サーバ８に判定結果を送信するので、映像蓄積サーバ８は、受信した判定結果により、ライブラリに記憶させるＭＰＥＧデータを選択することができる。
【００４３】
切出し処理停止要求部１８は、河川情報管理システム６から定期的に送信される基準値情報を受信する。そして、受信した基準値情報をもとに現在の雨量が基準値を超えているか否かを判断する。雨量が基準値を超えていない場合には、ＭＰＥＧデータの記憶を停止させるため、停止要求を映像蓄積サーバ８に送信する。
【００４４】
次に、図１に示した映像蓄積サーバ８の構成について説明する。図５は、図１に示した映像蓄積サーバ８の構成を示す機能ブロック図である。同図に示すように、映像蓄積サーバ８は、制御部２０と、ネットワークインターフェース部２１と、高レート映像一時記憶部２２と、低レート映像一時記憶部２３と、切出し処理部２４と、ライブラリ２５と、ライブラリ空き容量情報通知部２６と、切出し処理停止判断部２７とを有する。
【００４５】
制御部２０は、映像蓄積サーバ８全体を制御する処理部であり、ネットワークインターフェース部２１は、所定の通信プロトコルを用いて映像ＩＰ化装置１、映像ＩＰ化装置２および映像管理サーバ９と通信を行う処理部である。
【００４６】
高レート映像一時記憶部２２は、映像ＩＰ化装置１および２から送信される高レートＭＰＥＧデータを一時的に記憶する記憶部である。なお、高レート映像一時記憶部２２は、一定量の高レートＭＰＥＧデータを記憶でき、記憶容量が足りなくなった場合には、古い高レートＭＰＥＧデータから順に新しい高レートＭＰＥＧデータに書き換える。
【００４７】
低レート映像一時記憶部２３は、映像ＩＰ化装置１および２から送信される低レートＭＰＥＧデータを順次一時的に記憶する記憶部である。なお、低レート映像一時記憶部２３は、一定量の低レートＭＰＥＧデータを記憶でき、記憶容量が足りなくなった場合には、古い低レートＭＰＥＧデータから順に新しい低レートＭＰＥＧデータに書き換える。
【００４８】
切出し処理部２４は、映像管理サーバ９から判定結果を受信し、受信した判定結果に基づいて、映像ＩＰ化装置１および２から送信される高レートＭＰＥＧデータまたは低レートＭＰＥＧデータのいずれか一方を選択する。そして、選択したＭＰＥＧデータを記憶部であるライブラリ２５に順次記憶させる。
【００４９】
また、切出し処理部２４は、判定結果を受信した際に、映像一時記憶部に記憶された所定量のＭＰＥＧデータを切出す。具体的には、切出し処理部２４は、判定結果を基に高レート映像一時記憶部２２からデータ切出すか低レート映像一時記憶部２３からデータを切出すかを選択し、選択した映像一時記憶部からＭＰＥＧデータを切出し、ライブラリ２５に記憶させる。従って、ライブラリ２５は、判定結果を受信する前の所定量のＭＰＥＧデータを記憶することができる。
【００５０】
ライブラリ空き容量情報通知部２６は、ライブラリ２５の残りの記憶可能な容量を調査し、調査した結果をライブラリ空き容量情報として映像管理サーバ９に送信する。
【００５１】
切出し処理停止判定部２７は、映像管理サーバ９から停止要求を受信した際に、ライブラリ２５にＭＰＥＧデータの記憶を停止させる。なお、ライブラリ２５がＭＰＥＧデータの記録を開始してから所定時間経過していない場合には、切出し処理停止判定部２７は、ＭＰＥＧデータの記憶を継続させる。
【００５２】
次に、映像管理サーバ９がアラームデータを受信し、ライブラリ２５に記憶させるＭＰＥＧデータの判定結果を送信する処理手順について説明する。図６は、映像蓄積サーバ８に記憶させるＭＰＥＧデータの判定結果を送信する処理手順について説明するフローチャートである。
【００５３】
図６に示すように、映像管理サーバ９が、アラームデータを受信し（ステップＳ１０１）、カメラ制御情報送信部１３が、カメラ３、４に対する設定情報を取得し（ステップＳ１０２）、取得した設定情報をカメラ３、４に送信する（ステップＳ１０３）。
【００５４】
そして、レート判定処理部１７は、降雨開始時刻情報、降雨予測情報およびライブラリ空き容量情報に基づいてライブラリに高レートＭＰＥＧデータを記憶させるか低レートＭＰＥＧデータを記憶させるかを判定し（ステップＳ１０４）、判定した結果を映像蓄積サーバ８に送信する（ステップＳ１０５）。
【００５５】
このように、アラームデータを映像管理サーバ９が受信した場合に、レート判定処理部１７が、高レートＭＰＥＧデータを記憶させるか低レートＭＰＥＧデータを記憶させるかを判定し、映像蓄積サーバ８に判定結果を通知するので、映像蓄積サーバ８は、通知された判定結果をもとに適切なＭＰＥＧデータを記憶することができる。
【００５６】
次に、図６のステップＳ１０４に示した、レート判定処理部１７が、降雨開始情報、降雨予測情報およびライブラリ空き容量情報に基づいてレート判定を行う処理手順について説明する。図７は、レート判定処理部１７が、降雨開始情報、降雨予測情報およびライブラリ空き容量情報に基づいてレート判定を行う処理手順を説明するフローチャートである。
【００５７】
図７に示すように、レート判定処理部１７は、降雨情報記憶部１４に記憶された降雨開始時刻をもとに降雨開始から１２時間以上経過しているか否かを判断する（ステップＳ２０１）。降雨開始から１２時間経過している場合には（ステップＳ２０１，Ｙｅｓ）、低レートＭＰＥＧデータを記憶させると判定する（ステップＳ２０７）。
【００５８】
一方、降雨開始から１２時間以上経過していない場合には（ステップＳ２０２，Ｎｏ）、降雨開始時刻と予測雨量情報記憶部１５に記憶された予測降雨終了時刻とをもとに、降雨開始から６時間以上経過し、かつ６時間後まで降雨が予測されるか判断する（ステップＳ２０２）。
【００５９】
降雨から６時間以上経過し、かつ６時間後まで降雨が予測される場合には（ステップＳ２０２，Ｙｅｓ）、低レートＭＰＥＧデータを記憶させると判定する（ステップＳ２０７）。一方、降雨から６時間以上経過し、かつ６時間後まで降雨が予測されない場合には（ステップＳ２０２，Ｎｏ）、ライブラリ空き容量情報記憶部１６に記憶されたライブラリ空き容量情報をもとにライブラリの空き容量が３０％以上あるかを判定する（ステップＳ２０３）。
【００６０】
ライブラリの空き容量が３０％以上ある場合には（ステップＳ２０３，Ｙｅｓ）、高レートＭＰＥＧデータを記憶させると判定する（ステップＳ２０４）。一方、ライブラリの空き容量が３０％未満の場合には（ステップＳ２０３，Ｎｏ）、予測降雨情報記憶部１５に記憶された３時間後の予測降雨量をもとに基準値を超過しているか否かを判定する（ステップＳ２０５）。
【００６１】
３時間後の予測降雨量が基準値を超過している場合には（ステップＳ２０５，Ｙｅｓ）、低レートＭＰＥＧデータを記憶させると判定する（ステップＳ２０７）。一方、３時間後の予測降雨量が基準値を超過していない場合には（ステップＳ２０５，Ｎｏ）、予測降雨終了時刻をもとに６時間後まで降雨が予測されているか否かを判断する（ステップＳ２０６）。
【００６２】
６時間後まで降雨が予測されている場合には(ステップＳ２０６，Ｙｅｓ)、低レートＭＰＥＧデータを記憶させると判定し（ステップＳ２０７）、６時間後まで降雨が予測されていない場合には（ステップＳ２０６，Ｎｏ）、高レートＭＰＥＧデータを記憶させると判断する(ステップＳ２０４)。
【００６３】
このように、レート判定処理部１７は、予測される降雨時間、降雨量およびライブラリ２５の空き容量などをもとにして映像蓄積サーバ８に記憶させるＭＰＥＧデータを高レートＭＰＥＧデータにするか低レートＭＰＥＧデータにするか判定するので、ライブラリ２５の残り容量と降雨に係る情報を考慮した最適なレートのＭＰＥＧデータをライブラリ２５に記憶させることができる。
【００６４】
次に、映像蓄積サーバ８が、映像管理サーバ９の判定結果をもとにＭＰＥＧデータを記憶する処理手順について説明する。図８は、映像蓄積サーバ８が、映像管理サーバ９の判定結果をもとにＭＰＥＧデータを記憶する処理手順を説明するフローチャートである。
【００６５】
図８に示すように、判定結果を受信し（ステップＳ３０１）、受信した判定結果をもとに高レートＭＰＥＧデータをライブラリ２５に記憶させるか低レートＭＰＥＧデータをライブラリ２５に記憶させるかを選択する（ステップＳ３０２）。
【００６６】
そして、選択したＭＰＥＧデータに対応する映像一時記憶部（高レート映像一時記憶部２２または低レート一時記憶部２３）から、判定結果を受信する所定時間前までのＭＰＥＧデータを切り取り（ステップＳ３０３）、映像ＩＰ化装置１から送信される高レートＭＰＥＧデータまたは映像ＩＰ化装置２から送信される低レートＭＰＥＧデータのいずれか一方の選択したＭＰＥＧデータを順次ライブラリ２５に記憶させる（ステップＳ３０４）。
【００６７】
次に、切り出し処理停止判断部２７が、映像管理サーバ９からライブラリ２５に対するＭＰＥＧデータの記憶の停止要求を受信した場合の処理手順について説明する。図９は、切り出し処理停止判断部２７が停止要求を受信した場合の処理手順について説明するフローチャートである。
【００６８】
図９に示すように、切出し処理停止判断部２７は、停止要求を受信し（ステップＳ４０１）、切出し処理部２４が、ライブラリ２５にＭＰＥＧデータの記憶を開始してから３時間以上経過したか否かを判定する（ステップＳ４０２）。そして、３時間以上経過している場合には（ステップＳ４０２，Ｙｅｓ）、ＭＰＥＧデータの記憶を停止させ（ステップＳ４０３）、３時間以上経過していない場合には（ステップＳ４０２，Ｎｏ）、ＭＰＥＧデータの記憶を継続させる（ステップＳ４０４）。
【００６９】
上述してきたように、本実施例に示した映像管理装置９は、雨量情報管理システム７から送信される降雨開始時刻情報、降雨予測情報および映像蓄積サーバ８から送信されるライブラリ空き容量情報を予め受信し、河川情報管理システム６からアラームデータが送信された際に、高レートＭＰＥＧデータまたは低レートＭＰＥＧデータのどちらかをライブラリ２５に記憶させるのかをレート判定処理部１７が判定するので、ライブラリ２５の記憶可能な残りの容量と、降雨状況に応じて、ライブラリ２５に記憶させるＭＰＥＧデータを高レートＭＰＥＧデータまたは低レートＭＰＥＧデータに臨機応変に変更するので、重要な映像を鮮明に記憶装置に記憶させることができ、重要でない映像は低レートで映像を記憶装置に記憶させることで記憶装置のデータ量を減らすことができる。
【００７０】
なお、本実施例では、河川情報管理システム６は、雨量が基準値を超えた場合にアラームデータを映像管理サーバ９に送信したが、河川の水位が基準値を超えた場合にも同様にアラームデータを映像管理サーバ９に送信しても良い。
【００７１】
また、本実施例では、切り出し停止判断部２７は、停止要求を映像管理サーバ９から受信した際、ライブラリ２５にＭＰＥＧデータの記憶を開始してから所定期間経過していた場合にのみ、ＭＰＥＧデータの記憶を停止させていたが、これに限定されるものではなく、例えば、停止要求を受信した場合に、直ちにＭＰＥＧデータの記憶を停止させても良い。
【００７２】
また、本実施例では、映像管理サーバ９と映像蓄積サーバ８とを設置し、映像蓄積サーバ８に記憶させるＭＰＥＧデータを高レートＭＰＥＧデータにするか低レートＭＰＥＧデータにするかを映像管理サーバ９が判定し、映像蓄積サーバ８に通知していたが、映像管理サーバ９と映像蓄積サーバ８とが行う処理を一つのサーバ装置で構成しても良い。
【００７３】
（付記１）映像を圧縮するエンコーダから送信される映像データを蓄積する映像蓄積装置を管理する映像管理装置であって、
降雨に係る情報を示す降雨情報を取得する降雨情報取得手段と、
雨量が基準値を超えたことを示すアラーム信号を受信した際に、前記降雨情報取得手段が取得した前記降雨情報に基づいて、前記エンコーダから前記映像蓄積装置に送信される映像データに含まれる高ビットレートで映像を圧縮された第一の映像データと低ビットレートで映像を圧縮された第二の映像データとのどちらを前記映像蓄積装置に蓄積させるかを判定する判定手段と、
前記判定手段が判定した判定結果をもとに前記第一の映像データまたは前記第二の映像データのいずれか一方の映像データの蓄積を開始するように前記映像蓄積装置に指示する蓄積指示手段と
を備えたことを特徴とする映像管理装置。
【００７４】
（付記２）前記映像蓄積装置が蓄積可能な残りの容量に係る情報を示す蓄積容量情報を取得する蓄積容量情報取得手段をさらに備え、前記判定手段は、前記降雨情報と前記蓄積容量情報とに基づいて、前記第一の映像データと前記第二の映像データとのどちらを前記映像蓄積装置に蓄積させるかを判定することを特徴とする付記１に記載の映像管理装置。
【００７５】
（付記３）前記降雨情報は、降雨が開始した時刻を示す降雨開始時刻情報と、降雨が止む時刻を予想した降雨終了時刻情報と、所定時間後までに予測される降雨量に係る予測降雨量情報とを含み、前記判定手段は、前記降雨開始時刻情報と、前記降雨終了時刻情報と、前記予測降雨量情報と、前記蓄積容量情報とに基づいて前記第一の映像データまたは前記第二の映像データとのどちらを前記映像蓄積装置に蓄積させるかを判定することを特徴とする付記２に記載の映像管理装置。
【００７６】
（付記４）前記映像蓄積装置は、前記エンコーダから送信される前記第一の映像データと前記第二の映像データとの両方の映像データを常時一定量蓄積し、前記蓄積指示手段が、前記映像管理装置に蓄積を開始させるように指示する映像データと同様のビットレートの映像データを前記映像管理装置が一定量蓄積した映像データから、切出し保存するように指示する切出し指示手段をさらに備えたことを特徴とする付記１、２または３に記載の映像管理装置。
【００７７】
（付記５）映像を圧縮するエンコーダから送信される映像データを蓄積する映像蓄積装置を管理する映像管理方法であって、
降雨に係る情報を示す降雨情報を取得する降雨情報取得工程と、
雨量が基準値を超えたことを示すアラーム信号を受信した際に、前記降雨情報取得工程で取得した前記降雨情報に基づいて、前記エンコーダから前記映像蓄積装置に送信される映像データに含まれる高ビットレートで映像を圧縮された第一の映像データと低ビットレートで映像を圧縮された第二の映像データとのどちらを前記映像蓄積装置に蓄積させるかを判定する判定工程と、
前記判定工程で判定した判定結果をもとに前記第一の映像データまたは前記第二の映像データのいずれか一方の映像データの蓄積を開始するように前記映像蓄積装置に指示する蓄積指示工程と
を含んだことを特徴とする映像管理方法。
【００７８】
（付記６）前記映像蓄積装置が蓄積可能な残りの容量に係る情報を示す蓄積容量情報を取得する蓄積容量情報取得工程をさらに含み、前記判定工程は、前記降雨情報と前記蓄積容量情報とに基づいて、前記第一の映像データと前記第二の映像データとのどちらを前記映像蓄積装置に蓄積させるかを判定することを特徴とする付記５に記載の映像管理方法。
【００７９】
（付記７）前記降雨情報は、降雨が開始した時刻を示す降雨開始時刻情報と、降雨が止む時刻を予想した降雨終了時刻情報と、所定時間後までに予測される降雨量に係る予測降雨量情報とを含み、前記判定工程は、前記降雨開始時刻情報と、前記降雨終了時刻情報と、前記予測降雨量情報と、前記蓄積容量情報とに基づいて前記第一の映像データまたは前記第二の映像データとのどちらを前記映像蓄積装置に蓄積させるかを判定することを特徴とする付記６に記載の映像管理方法。
【００８０】
（付記８）映像を圧縮するエンコーダから送信される映像データを蓄積する映像蓄積装置を管理する映像管理プログラムであって、
降雨に係る情報を示す降雨情報を取得する降雨情報取得手順と、
雨量が基準値を超えたことを示すアラーム信号を受信した際に、前記降雨情報取得手順で取得した前記降雨情報に基づいて、前記エンコーダから前記映像蓄積装置に送信される映像データに含まれる高ビットレートで映像を圧縮された第一の映像データと低ビットレートで映像を圧縮された第二の映像データとのどちらを前記映像蓄積装置に蓄積させるかを判定する判定手順と、
前記判定手順で判定した判定結果をもとに前記第一の映像データまたは前記第二の映像データのいずれか一方の映像データの蓄積を開始するように前記映像蓄積装置に指示する蓄積指示手順と
をコンピュータに実行させることを特徴とする映像管理プログラム。
【００８１】
（付記９）前記映像蓄積装置が蓄積可能な残りの容量に係る情報を示す蓄積容量情報を取得する蓄積容量情報取得手順をさらに含み、前記判定手順は、前記降雨情報と前記蓄積容量情報とに基づいて、前記第一の映像データと前記第二の映像データとのどちらを前記映像蓄積装置に蓄積させるかを判定することを特徴とする付記８に記載の映像管理プログラム。
【００８２】
（付記１０）前記降雨情報は、降雨が開始した時刻を示す降雨開始時刻情報と、降雨が止む時刻を予想した降雨終了時刻情報と、所定時間後までに予測される降雨量に係る予測降雨量情報とを含み、前記判定手順は、前記降雨開始時刻情報と、前記降雨終了時刻情報と、前記予測降雨量情報と、前記蓄積容量情報とに基づいて前記第一の映像データまたは前記第二の映像データとのどちらを前記映像蓄積装置に蓄積させるかを判定することを特徴とする付記９に記載の映像管理プログラム。
【産業上の利用可能性】
【００８３】
以上説明したように、本発明にかかる映像管理装置は、記憶装置に重要な映像は高品質に記憶させ、重要でない映像は低品質で記憶させ記憶装置のデータ量を低減させる映像管理システムに有用である。
【図面の簡単な説明】
【００８４】
【図１】本実施例に係る映像管理システムのシステム構成を示すブロック図である。
【図２】図１に示した映像管理サーバの構成を示す機能ブロック図である。
【図３】降雨情報記憶部のデータ構造を示す図である。
【図４】予測降雨情報記憶部のデータ構造を示す図である。
【図５】図１に示した映像蓄積サーバの構成を示す機能ブロック図である。
【図６】映像蓄積サーバに記憶させるＭＰＥＧデータの判定結果を送信する処理手順について説明するフローチャートである。
【図７】レート判定処理部１７が、降雨開始情報、降雨予測情報およびライブラリ空き容量情報に基づいてレート判定を行う処理手順について説明するフローチャートである。
【図８】映像蓄積サーバが、映像管理サーバの判定結果をもとにＭＰＥＧデータを記憶する処理手順を説明するフローチャートである。
【図９】切り出し処理停止判断部が停止要求を受信した場合の処理手順について説明するフローチャートである。
【符号の説明】
【００８５】
１，２  映像ＩＰ化装置
３，４  カメラ
５    クライアント端末
６    河川情報管理システム
７    雨量情報管理システム
８    映像蓄積サーバ
９    映像管理サーバ
１０，２０  制御部
１１，２１  ネットワークインターフェース部
１２    プリセット情報記憶部
１３    カメラ制御情報送信部
１４    降雨情報記憶部
１５    予測降雨情報記憶部
１６    ライブラリ空き容量情報記憶部
１７    レート判定処理部
１８    切出し処理停止要求部
２２    高レート映像一時記憶部
２３    低レート映像一時記憶部
２４    切出し処理部
２５    ライブラリ
２６    ライブラリ空き容量情報通知部
２７    切出し処理停止判断部
５０    ネットワーク
【図１】
2005191870.tif 000003
【図２】
2005191870.tif 000004
【図３】
2005191870.tif 000005
【図４】
2005191870.tif 000006
【図５】
2005191870.tif 000007
【図６】
2005191870.tif 000008
【図７】
2005191870.tif 000009
【図８】
2005191870.tif 000010
【図９】
2005191870.tif 000011